(57)【特許請求の範囲】
【請求項１】
合金層と、金属基板と、下地層と、面積が広い層と、を有する負電極と、
前記負電極に電気的に接続された第１端子と、
正電極と、
前記正電極に電気的に接続された第２端子と、
前記正電極と負電極との間に配置され、当該正電極と当該負電極との間を電気的に絶縁する絶縁体と、
前記正電極と、前記負電極と、前記正電極と前記負電極とを包囲する電解液と、を収容する密閉されたケースと、
を備え、
前記合金層は、貴金属と、電気化学的に堆積された電極材料層と、を有し、
前記下地層は、電気的に堆積されたなめらかな膜を有し、
前記面積が広い層は、前記下地層の上に粗く面積が広い材料を有し、
前記第１端子と前記第２端子を介してコンデンサに蓄積されたエネルギーを放出するように構成されている、
ことを特徴とする密閉型湿式電解コンデンサ。
【請求項２】
前記負電極は、前記金属基板のチタニウム・パラジウム合金層上に電気化学的に堆積されたパラジウムと銅との混合物から構成される、
ことを特徴とする請求項１に記載の密閉型湿式電解コンデンサ。
【請求項３】
前記電解液は、１０から６０ｍＳ／ｃｍの間の伝導度を有する、
ことを特徴とする請求項１又は２に記載の密閉型湿式電解コンデンサ。
【請求項４】
前記電解液は、水と、無機酸と、有機酸と、有機溶剤と、を含む、
ことを特徴とする請求項１〜３いずれか一項に記載の密閉型湿式電解コンデンサ。
【請求項５】
請求項１〜４いずれか一項に記載の密閉型湿式電解コンデンサを備えたことを特徴とする植え込み型の装置。
【請求項６】
請求項１〜４いずれか一項に記載の密閉型湿式電解コンデンサを備えたことを特徴とする植え込み型の除細動器。
【請求項７】
バッテリと、
前記バッテリに接続されたプロセッサと、
前記バッテリと前記プロセッサとに接続されたコンデンサと、を備え、
前記コンデンサは、
合金層と、金属基板と、下地層と、面積が広い層と、を有する負電極と、
前記負電極に電気的に接続された第１端子と、
正電極と、
前記正電極に電気的に接続された第２端子と、
前記正電極と負電極との間に配置され、当該正電極と当該負電極との間を電気的に絶縁する絶縁体と、
前記正電極と、前記負電極と、前記正電極と前記負電極とを包囲する電解液と、を収容する密閉されたケースと、
を備え、
前記合金層は、貴金属と、電気化学的に堆積された電極材料層と、を有し、
前記下地層は、電気的に堆積されたなめらかな膜を有し、
前記面積が広い層は、前記下地層の上に粗く面積が広い材料を有し、
前記コンデンサが、前記第１端子と前記第２端子を介してコンデンサに蓄積されたエネルギーを放出する構成されている、
ことを特徴とする植え込み型の装置。
【請求項８】
前記負電極は、前記金属基板のチタニウム・パラジウム合金層上に電気化学的に堆積されたパラジウムと銅との混合物から構成される、
ことを特徴とする請求項７に記載の植え込み型の装置。
【請求項９】
前記電解液は、水と、無機酸と、有機酸と、有機溶剤と、を含む、
ことを特徴とする請求項７又は８に記載の植え込み型の装置。
【請求項１０】
請求項７〜９いずれか一項に記載の植え込み型の装置を備えたことを特徴とする植え込み型の除細動器。
【請求項１１】
第１端子を正電極に電気的に接続し、
前記負電極を、貴金属と、電極材料層とを金属基板に電気化学的に堆積して合金層を形成することにより形成し、
前記合金層に、なめらかな膜を下地層として電気的に堆積し、
前記下地層の上に、所定のキャパシタンスを得るように、粗く面積が広い材料を堆積して面積が広い層を形成し、
第２端子を負電極に電気的に接続し、
前記正電極と、前記負電極と、前記正電極と前記負電極とを包囲する電解液と、を収容するケースを密閉する、
ことを特徴とするコンデンサの製造方法。
【請求項１２】
さらに、水と、無機酸と、有機酸と、有機溶剤とを混合することによって前記電解液を調製する、
ことを特徴とする請求項１１に記載の方法。
【請求項１３】
前記正電極と負電極との間に、当該正電極と当該負電極との間を電気的に絶縁する絶縁体を配置する、
ことを特徴とする請求項１１又は１２に記載の方法。
【請求項１４】
前記電解液が、１０から６０ｍＳ／ｃｍの間の伝導度を有する、
ことを特徴とする請求項１１〜１３いずれか一項に記載の方法。
【請求項１５】
前記正電極を、圧粉密度が５．０から７．０ｇｒａｍｓ／ｃｃの間で圧縮され、１４５０℃から１６５０℃の間で真空焼結された減塩キャパシタ用タンタル粉末により形成する、
ことを特徴とする請求項１１〜１４いずれか一項に記載の方法。
【請求項１６】
前記正電極が、圧粉密度が５．０から７．０ｇｒａｍｓ／ｃｃの間で圧縮され、１４５０℃から１６５０℃の間で真空焼された減塩キャパシタ用タンタル粉末により形成されていること、
を特徴とする請求項１〜４いずれか一項に記載の密閉型湿式電解コンデンサ。
【請求項１７】
前記電解液が、１０から６０ｍＳ／ｃｍの間の伝導度を有する、
ことを特徴とする請求項７〜９いずれか一項に記載の植え込み型の装置。
【請求項１８】
前記正電極が、圧粉密度が５．０から７．０ｇｒａｍｓ／ｃｃの間で圧縮され、１４５０℃から１６５０℃の間で真空焼結された減塩キャパシタ用タンタル粉末により形成されていること、
を特徴とする請求項７〜９、１７いずれか一項に記載の植え込み型の装置。
【発明の詳細な説明】
【技術分野】
【０００１】
本発明は、コンデンサに関し、より具体的には、植え込み型除細動器等の医療用途に好適に用いられるコンデンサに関する。
【背景技術】
【０００２】
コンデンサは、電子機器の用途において広範囲に用いられている。特定の用途においては、特定の電圧まで急速充電可能で、充電されるとかなりのエネルギーのパルスを供給可能なコンデンサが求められる。かかる用途の一例は、植え込み型の装置である。このような用途においては、コンデンサがコンパクトで高い信頼性を有することが重要である。
【０００３】
従って、植え込み型の除細動器等の用途においては、小型でありながらも信頼性が高く性能がよいコンデンサが必要とされている。
【発明の概要】
【発明が解決しようとする課題】
【０００４】
そこで、本発明の第一の目的、特徴または利点は、かかる分野における従来技術の改良にある。
【０００５】
本発明の第二の目的、特徴または利点は、植え込み型の装置に好適に用いることができるコンデンサを提供することである。
【０００６】
本発明の第三の目的、特徴または利点は、植え込み型の除細動器（ＩＣＤ）に用いた場合に、予め決められた電圧まで急速充電可能で、充電されると患者の心臓の通常の機能を回復するために十分なエネルギーのパルスを供給可能なコンデンサを提供することである。
【０００７】
本発明の第四の目的、特徴または利点は、効率よく組み立てられ、ＩＣＤ内の限られた空間内に入る形状を有するコンデンサを提供することである。
【０００８】
本発明の第五の目的、特徴または利点は、高性能で高い信頼性を有するコンデンサを提供することである。
【０００９】
本発明のそれらの目的、特徴または利点の少なくとも一つは、本明細書の以降の部分及び特許請求の範囲から明らかになる。
【課題を解決するための手段】
【００１０】
本発明の一の観点によれば、密閉型の湿式電解コンデンサが提供される。このコンデンサは、負電極、正電極、正電極と負電極との間に配置される絶縁体、及び電解液を内包する密閉型のケースを有する。第１端子は正電極に電気的に接続され、第２端子は負電極に電気的に接続される。密閉型湿式電解コンデンサは、蓄積されたエネルギーの少なくとも８０パーセントに相当するパルス供給（a pulse delivery）を行うことができる。
【００１１】
本発明の別の観点によれば、コンデンサの負電極は、金属基板を有し、この金属基板は、貴金属を用いて形成される合金層と、貴金属／ベース金属の電極材料層とを有し、電極材料層は、合金層上に電気化学的に堆積されている。電解液は、１０から６０ｍＳ／ｃｍの間の伝導度を有する。
【００１２】
本発明のさらに別の観点によれば、コンデンサの製造方法が提供される。この方法によれば、１０から６０ｍＳ／ｃｍの間の伝導度を有する電解液を内包するケースを密閉する。そして、第１端子を、負電極から電気的に絶縁された正電極に接続する。さらに、第２端子を負電極に接続する。負電極は、金属基板から形成され、この金属基板は、貴金属を用いて形成される合金層と、貴金属／ベース金属の電極材料層とを有し、電極材料層は、合金層上に電気化学的に堆積される。
【発明の効果】
【００１３】
本発明によれば、小型でありながらも信頼性が高く性能がよいコンデンサが提供される。
【図面の簡単な説明】
【００１４】
【図１】本発明の一の実施の形態に係る密閉型の湿式電解コンデンサを示す図である。
【図２】植え込み型の除細動器内に配置された、図１のコンデンサを示す図である。
【発明を実施するための形態】
【００１５】
以下に具体的な実施の形態とともに本発明を説明する。かかる実施の形態は例示の目的のためだけのものであり、本発明は他のオプション、代替または変更を含むものであることは、当業者にとって自明である。
【００１６】
図１は、本発明の一の実施の形態に係るコンデンサ１０を示す。図示のものは半円形状であるが、コンデンサ１０はこの形状に限定されるものではない。かかる具体的な形状は、一例である。図１において、密閉型の湿式電解コンデンサ１０を示す。コンデンサ１０は、密閉型のケース１２を備える。コンデンサ１０は、また、負電極１８と正電極１６とを備える。正電極１６の構成の一例として、圧粉密度（green density）が５．０から７．０ｇｒａｍｓ／ｃｃの間で圧縮され、１４５０度から１６５０度の間で真空焼結された減塩キャパシタ用タンタル粉末（sodium reduced capacitor grade tantalum powder）を含む。粉末、圧縮態様、及び焼結態様については、必要とされるキャパシタンスに合わせて変更可能である。この正電極体は、目的とされる酸化膜の厚さに必要な電圧を維持可能な電解質に浸漬される。
【００１７】
絶縁膜１４（好適には、１以上のポリマー材料の層から構成される）は、正電極１６と負電極１８との間に配置され、正電極１６を負電極１８から電気的に絶縁する。電解液２２は、密閉型のケース１２内に配置され、負電極１８と正電極１６との両方を包囲する。電解液２２は、好適には、脱イオン水（ＤＩ水）、有機及び無機酸、ならびに有機溶媒を含むゲルから構成される。電解液２２の構成要素は、好適には１０から６０ｍＳ／ｃｍの間の伝導度となるように様々な濃度で混合される。かかる電解液２２の一例として、以下を含む。
【００１８】
・６５から８０％のＤＩ水
・０．２から０．６％のリン酸
・１５から３０％のエチレングリコール
・３から６％のシュウ酸
・２から４％のホウ酸
【００１９】
負電極１８は、金属基板２０を用いて構成され、この金属基板２０は、貴金属を用いて形成される合金層２４と、貴金属／ベース金属の電極材料層２６とを含み、この電極材料層２６は、合金化された面に電気化学的に金属塩の溶液から堆積される。この負電極１８の態様は、一例としては、Ｔｉ−Ｐｄ合金上にＰｄとＣｕとの混合物が電気的に堆積される。負電極１８の合金化された面への接着力を高めるため、なめらかなＰｄ−Ｃｕの初期膜を下地層として電気的に堆積してもよい。次に、粗く面積が広い層を下地層の一番上に堆積し、これによって高キャパシタンスな負電極１８を形成する。
【００２０】
負電極１８の金属基板２０は、弁金属を用いて形成される。かかる弁金属の一例としては、タンタル、ニオビウム、ハフニウム、バナジウム、ジルコニウム、チタニウムまたはこれらの合金が挙げられる。金属基板２０は、平板形状または円筒形状を含む多数の形状または態様のバリエーションを有する。金属基板２０は、好適な形状のライナーであり、コンデンサケース１２の一部を表す。負電極１８のかかる構成により、高負電極キャパシタンスが得られ、コンデンサ１０に蓄積されたエネルギーを効率よく負荷に供給することができるようになる。
【００２１】
図示する第１の端子３０は、スペーサ３２を介して延伸する。第１の端子３０は、正電極１６に電気的に接続されている。第２の端子３６は、負電極１８に電気的に接続されている。
【００２２】
図２は、植え込み型の除細動器（ＩＣＤ）４０の一態様を示す。この装置４０は、図１のコンデンサ１０（第１の端子３０及び第２の端子３６を含む）と、このコンデンサ１０に電気的に接続された制御回路４２と、検出器４３とバッテリ４４とを備える。コンデンサ１０は、第１及び第２の端子３０、３６の間で蓄積されたエネルギーの少なくとも８０パーセント（好適には、８７パーセント以上）のパルスを供給するように構成されている。検出器４３は、患者の状態を監視し、この患者についてのデータを制御回路４２に供給する。制御回路４２は、検出器４３による異常または危機的な状態（これらは、１又は複数の所定のしきい値を超えた１又は複数の所定のパラメータである）の検出に応じて、検出器４３からの情報を監視する。
【００２３】
一例として、検出器４３は、患者の心臓の電気的な活動を検出し、これについてのデータを制御回路４２に送信する。制御回路４２は、かかる電気的な活動を監視し、所定の電気レベルを下回った場合、または、かかる電気的な活動が（不整脈によって）不規則になった場合、電気ショックを与える。
【００２４】
バッテリ４４は、コンデンサ１０を充電するのに用いられるとともに、ＩＣＤ装置に電力を供給する。コンデンサ１０の充電は、（充電リークの問題に対処するために）常時行われており、コンデンサ１０は、常に放電できる状態にある。または、コンデンサ１０の充電は、定期的に行われてもよい（例えば、コンデンサ１０の充電レベルを所定のしきい値以上に維持するために所定の間隔で充電される）。あるいは、コンデンサ１０の充電は、異常が生じたことが検出された場合などのように必要に応じて行われ、バッテリ４４は、その際にコンデンサ１０を充電するために用いられる。
【００２５】
ＩＣＤ装置４０の用途においては、コンデンサ１０は、ＩＣＤ装置４０の制御回路４２が患者の異常または危機的な状態を検出した際に、患者の心臓へ電気ショック療法を行う機能を発揮する。コンデンサ１０は、所定の電圧までの急速充電可能であり、次に、十分なエネルギーの１以上のパルスを供給して、患者の心臓の通常の機能を回復させる。
【００２６】
図１に示すコンデンサ１０は、効率がよく、またＩＣＤ装置４０内の限られたスペースに入る構成及び形状を有し、非常に小型である。好ましくは、コンデンサ１０のサイズは、１．５から３．０ＣＣであり、図１に示すように半月板形状を有する。しかしながら、本発明はこれに限定されるものではない。コンデンサ１０は、これを埋め込まれる人間が必要とする特定の構成にフィットするように種々のサイズ及び形状を採用することができる。
【００２７】
ＩＣＤ装置４０の使用を支援するために、コンデンサ１０は、必要に応じて、最低で９Ｊ（好ましくは１２Ｊ）を供給可能である。実際に供給されるエネルギーの量は、制御回路４２によって決められる。
【００２８】
以上のように、密閉型の湿式電解コンデンサ１０について説明した。本発明は、上述するとともに図示した特定の実施の形態に限定されるものではなく、本発明は、コンデンサ１０のサイズ及び形状、用いる材料について様々な応用を含むものである。他の応用、代替、及びオプションが適用可能であることは、当業者にとって自明である。
【００２９】
本出願は、２００９年４月１６日になされた米国仮特許出願第６１／１６９７６４号に基づく優先権を主張する。この出願の内容を、本明細書に参照として取り込む。
【符号の説明】
【００３０】
１２  ケース
１０  キャパシタ
１４  絶縁膜
１６  正電極
１８  負電極
２２  電解液
３０  第１の端子
３６  第２の端子
【図１】
0005758379.tif 000002
【図２】
0005758379.tif 000003